(57)【要約】【課題】  異音の発生やコストアップすることなく外径差の大きい電線に対応させることが可能な、異径電線の外径差吸収構造を提供する。【解決手段】  外径の異なる各種の電線を収納する本体部２と、本体部２に取り付けられる蓋部３と、離れる方向に撓ませることが可能な一対のアーム４とを有する。一対のアーム４は、アーム間に差し込む電線の径が細い場合に、一対のアーム４の各先端側４ｃで電線を保持するように形成する。また、アーム間に差し込む電線の径が太い場合に、一対のアーム４の奥側４ａで電線を保持するように形成する。このような一対のアーム４を本体部２の内面に設ける。蓋部３の内面には電線押し付け部５を設ける。【選択図】    図１
2006230065.tif 000002
【特許請求の範囲】
【請求項１】
外径の異なる各種の電線を収納することが可能な本体部と、該本体部に取り付けられる蓋部と、離れる方向に撓ませることが可能な一対のアームとを有し、
該一対のアームを、アーム間に差し込む電線の径が細い場合に前記一対のアームの各先端側で電線を保持するように形成するとともに、前記アーム間に差し込む電線の径が太い場合に前記一対のアームの奥側で電線を保持するように形成し、
このような前記一対のアームを前記本体部又は前記蓋部のいずれか一方の内面に設ける
ことを特徴とする異径電線の外径差吸収構造。
【請求項２】
請求項１に記載の異径電線の外径差吸収構造において、
前記一対のアームの各アームをアーチ状に形成する
ことを特徴とする異径電線の外径差吸収構造。
【請求項３】
請求項１又は請求項２に記載の異径電線の外径差吸収構造において、
前記本体部又は前記蓋部のいずれか他方の内面には、前記アーム間に差し込む電線に対して当接する電線押し付け部を設ける
ことを特徴とする異径電線の外径差吸収構造。
【請求項４】
請求項３に記載の異径電線の外径差吸収構造において、
前記電線押し付け部を板リブ状に形成する、又は前記一対のアームと同じ形状に形成する
ことを特徴とする異径電線の外径差吸収構造。
【発明の詳細な説明】
【技術分野】
【０００１】
本発明は、例えば電線保護用プロテクタの電線収納に係る構造に関し、詳しくは外径の異なる各種の電線の収納に対応させるための異径電線の外径差吸収構造に関する。
【背景技術】
【０００２】
例えば、自動車のように狭いスペース内に多くの機器を搭載する場合、これら機器を電気的に接続する電線の配索密度は必然的に高いものとなる。電線の配索密度が高くなると、電線同士が互いに擦れ合ったり、或いは電線が車体に押し付けられたりすることがある。この状態において、自動車の走行による振動が長期にわたり加わると、電線の被覆が次第に損傷してしまう恐れがある。そこで、電線の被覆が損傷しないようにするために、電線の配索はプロテクタを介して行われることが一般的になっている。プロテクタは、種々の構造が提案されており、共用化の関係から、外径の異なる各種の電線の収納に対応させるようにしたものもある。（例えば特許文献１参照）。
【特許文献１】特開２００４−３１２９３７号公報
【発明の開示】
【発明が解決しようとする課題】
【０００３】
外径の異なる各種の電線の収納に対応させるようにした従来のプロテクタの構造にあっては、収納対象となる電線の外径差が小さい場合に適するように設計されている。従って、外径差が例えば倍以上あるような場合、言い換えれば外径差が極端に大きい場合には、電線の収納が当然に不適になることから、外径差を吸収することができないという問題点を有している。外径差を吸収することができない場合には、電線とプロテクタとの間で異音（ガタツキ音）が発生するという問題点も有している。
【０００４】
対策案としては、別部品の追加（２部品化）や、金型の駒入れ換えによる製品の作り分けなどが挙げられる。しかしながら、この対策案ではコストアップが避けられないという問題点を有している。
【０００５】
本発明は、上述した事情に鑑みてなされたもので、異音の発生やコストアップすることなく外径差の大きい電線に対応させることが可能な、異径電線の外径差吸収構造を提供することを課題とする。
【課題を解決するための手段】
【０００６】
上記課題を解決するためになされた請求項１記載の本発明の異径電線の外径差吸収構造は、外径の異なる各種の電線を収納することが可能な本体部と、該本体部に取り付けられる蓋部と、離れる方向に撓ませることが可能な一対のアームとを有し、該一対のアームを、アーム間に差し込む電線の径が細い場合に前記一対のアームの各先端側で電線を保持するように形成するとともに、前記アーム間に差し込む電線の径が太い場合に前記一対のアームの奥側で電線を保持するように形成し、このような前記一対のアームを前記本体部又は前記蓋部のいずれか一方の内面に設けることを特徴としている。
【０００７】
このような特徴を有する本発明によれば、電線径が細い電線と太い電線のような外径差が極端に大きい電線であってもガタ付くことなく収納することが可能となる。電線径が細い電線の場合には、本体部に収納しそして蓋部によって本体部を覆うと、一対のアームの各先端側で保持される。これに対し、電線径が太い電線の場合には、一対のアームを大きく撓ませながら太い電線を差し込むと、アームの奥側で保持される。細い電線又は太い電線のいずれであっても、一対のアームの間に差し込まれて押さえられることから、電線がガタ付くようなことはない。一対のアームを撓ませて押し付け押さえる構造によって、異音の発生やコストアップすることなく異径電線の外径差を吸収することが可能になる。
【０００８】
請求項２記載の本発明の異径電線の外径差吸収構造は、請求項１に記載の異径電線の外径差吸収構造において、前記一対のアームの各アームをアーチ状に形成することを特徴としている。
【０００９】
このような特徴を有する本発明によれば、一対のアームの強度アップが図られる。また、各アームを撓ませる際に生じる、アームの復元力が強くなる。一対のアームの間に差し込まれる電線の保持がより一層確実になる。
【００１０】
請求項３記載の本発明の異径電線の外径差吸収構造は、請求項１又は請求項２に記載の異径電線の外径差吸収構造において、前記本体部又は前記蓋部のいずれか他方の内面には、前記アーム間に差し込む電線に対して当接する電線押し付け部を設けることを特徴としている。
【００１１】
このような特徴を有する本発明によれば、電線径が細い電線の場合には、本体部に収納しそして蓋部によって本体部を覆うと、一対のアームの各先端側と電線押し付け部との間で保持される。これに対し、電線径が太い電線の場合には、一対のアームを大きく撓ませながら太い電線を差し込むと、アームの奥側と電線押し付け部との間で保持される。細い電線又は太い電線のいずれであっても、一対のアームの間に差し込まれるとともに電線押し付け部により押さえられることから、電線がガタ付くようなことはない。一対のアームを撓ませるとともに電線押し付け部を当接させて押し付け押さえる構造によって、異音の発生やコストアップすることなく異径電線の外径差を吸収することが可能になる。
【００１２】
請求項４記載の本発明の異径電線の外径差吸収構造は、請求項３に記載の異径電線の外径差吸収構造において、前記電線押し付け部を板リブ状に形成する、又は前記一対のアームと同じ形状に形成することを特徴としている。
【００１３】
このような特徴を有する本発明によれば、電線押し付け部を板リブ状に形成することにより、電線を一対のアーム側に強く押し付けることが可能になる。また、電線押し付け部を一対のアームと同じ形状に形成すれば、弾力性によって電線を押し付けることが可能になる。
【発明の効果】
【００１４】
請求項１に記載された本発明によれば、異音の発生やコストアップすることなく外径差の大きい電線に対応させることができるという効果を奏する。
【００１５】
請求項２に記載された本発明によれば、一対のアームの強度アップを図ることができるという効果を奏する。また、電線の保持をより一層確実にすることができるという効果を奏する。
【００１６】
請求項３に記載された本発明によれば、電線押し付け部によって電線を一対のアームに向けて押し付け押さえることができるという効果を奏する。
【００１７】
請求項４に記載された本発明によれば、より良い電線押し付け部の形態を提供することができるという効果を奏する。
【発明を実施するための最良の形態】
【００１８】
以下、図面を参照しながら説明する。
図１は本発明の異径電線の外径差吸収構造の一実施の形態を示す電線保護用プロテクタの斜視図、図２は電線保護用プロテクタの平面図である。また、図３は電線保護用プロテクタに電線径が細い電線を収納した場合の状態説明図、図４は電線保護用プロテクタに電線径が太い電線を収納した場合の状態説明図である。
【００１９】
図１及び図２において、引用符号１は本発明の異径電線の外径差吸収構造を有する電線保護用プロテクタを示している。電線保護用プロテクタ１は、絶縁性を有する合成樹脂材料によって成形されている。電線保護用プロテクタ１は、外径の異なる各種の電線を収納することが可能な本体部２と、この本体部２に取り付けられる蓋部３とを備えて構成されている。本体部２には、一対のアーム４が一体に形成されている。また、蓋部３には、電線押し付け部５が一体に形成されている。
【００２０】
本体部２は、奥壁６と、この奥壁６の両側部からそれぞれ垂直方向に立設する一対の側壁７とを有している。また、本体部２は、電線収納口８と、一対の電線引き出し口９とを有している。本体部２は、断面コ字状となる形状に形成されている（一例であるものとする）。奥壁６の内面中央には、一対のアーム４が形成されている。
【００２１】
一対のアーム４は、各アーム４を所定の間隔をあけて並べることによりなるものであって、各アーム４が離れる方向に撓み、そして元の位置に復帰可能な可撓性及び弾力性を有するように形成されている。
【００２２】
ここで、一対のアーム４の具体的な形状について説明する（一例であるものとする）。一対のアーム４の奥側４ａは、奥壁６の内面に対して直交するように形成されている。また、奥側４ａは、収納する電線の軸方向に平行となるように形成されている。奥側４ａは、上記軸方向に長い板状に形成されている。
【００２３】
一対のアーム４の中間４ｂ及び先端側４ｃは、奥側４ａよりも薄肉に形成されている。また、中間４ｂ及び先端側４ｃは、先端側４ｃに向かって次第に間隔が広がるように形成されている。中間４ｂ及び先端側４ｃは、湾曲する形状に形成されている。
【００２４】
先端側４ｃの内面は、電線径の細い電線に対する保持用の部分として形成されている。また、中間４ｂ及び奥側４ａのうち特に奥側４ａは、電線径の太い電線に対する保持用の部分として形成されている。
【００２５】
一対の側壁７は、一対のアーム４の高さよりも高く形成されている。また、一対の側壁７は、上記電線径の太い電線を収納することが可能な高さに形成されている。一方の側壁７の先端外側には、ヒンジ１０を介して蓋部３が連成されている。他方の側壁７の先端は、蓋部３に対する受け部として形成されている。
【００２６】
蓋部３は、板状の部分であって、本体部２の電線収納口８を覆うことができるように形成されている。蓋部３の内面中央には、電線押し付け部５が形成されている。電線押し付け部５は、一対のアーム４のアーム間に差し込む電線に対して当接する部分として形成されている。電線押し付け部５は、上記軸方向に対して直交する方向にのびる板リブ状に形成されている。電線押し付け部５の高さは、上記電線径の細い電線に合わせて設定されている。
【００２７】
次に、上記構成及び構造に基づきながら、電線の収納に係る手順を説明する。図２に示すように、電線径の細い電線１１は、蓋部３を開いた状態で、本体部２の電線収納口８側を介して一対のアーム４の先端側４ｃにセットされる。この状態から蓋部３を、図３に示すように閉じると、蓋部３の電線押し付け部５の先端が電線１１に当接して、電線１１を一対のアーム４の先端側４ｃに向けて押し付ける。一対のアーム４は若干撓んだ状態になり、電線１１は一対のアーム４の先端側４ｃと電線押し付け部５との間でガタ付くことなく保持される（先端側４ｃと電線押し付け部５は、常に電線１１に接触する）。
【００２８】
電線径の太い電線１２は、図４に示すように、一対のアーム４を大きく撓ませながら一対のアーム４のアーム間に差し込まれるような状態でセットされる。この状態から蓋部３を閉じると、蓋部３の電線押し付け部５の先端が電線１２に当接して、電線１２を押し付ける。電線１２は、一対のアーム４の奥側４ａと電線押し付け部５との間でガタ付くことなく保持される（奥側４ａと電線押し付け部５は、常に電線１１に接触する）。
【００２９】
尚、特に図示しないが、電線径の細い電線１１と電線径の太い電線１２の中間となる径の電線も、一対のアーム４の奥側４ａ又は中間４ｂと電線押し付け部５との間でガタ付くことなく保持される（奥側４ａ又は中間４ｂと電線押し付け部５は、常に中間の径の電線に接触する）。
【００３０】
以上、図１ないし図４を参照しながら説明してきたように、本発明によれば、一対のアーム４を撓ませるとともに電線押し付け部５を当接させて、電線１１、１２を押し付け押さえるようになっている。従って、異音の発生やコストアップすることなく異径電線の外径差を吸収することができるという効果を奏する。
【００３１】
続いて、図５を参照しながら電線保護用プロテクタの第二の例を説明する。図５は第二の例となる電線保護用プロテクタの平面図である。
【００３２】
図５において、第二の例となる電線保護用プロテクタ１は、本体部２の奥壁６の内面中央に電線押し付け部５が一体に形成されている。また、蓋部３の内面中央には、一対のアーム４が一体に形成されている。すなわち、図１ないし図４に示した第一の例に対して、一対のアーム４と電線押し付け部５の配置がここでは逆になっている。
【００３３】
電線の収納に係る手順についての説明は省略するが、このような構造の場合であっても、異音の発生やコストアップすることなく異径電線の外径差を吸収することができるという効果を奏する。
【００３４】
続いてさらに、図６を参照しながら電線保護用プロテクタの第三の例を説明する。図６は第三の例となる電線保護用プロテクタの平面図である。
【００３５】
図６において、第三の例となる電線保護用プロテクタ１は、本体部２の奥壁６の内面中央に一対のアーム４が一体に形成されている。また、蓋部３の内面中央にも、一対のアーム４が一体に形成されている。蓋部３の一対のアーム４は、電線押し付け部５の代わりとして形成されている。第三の例となる電線保護用プロテクタ１は、蓋部３側の一対のアーム４の弾力性によって電線を押し付けることをねらった構造になっている。このような構造の場合であっても、異音の発生やコストアップすることなく異径電線の外径差を吸収することができるという効果を奏する。
【００３６】
続いてさらに、図７を参照しながら電線保護用プロテクタの第四の例を説明する。図７は第四の例となる電線保護用プロテクタの平面図である。
【００３７】
図７において、第四の例となる電線保護用プロテクタ１は、本体部２の奥壁６の内面中央に第一の例とは異なる一対のアーム４が一体に形成されている。また、蓋部３の内面中央には、電線押し付け部５が一体に形成されている。
【００３８】
第四の例の一対のアーム４は、第一の例の一対のアーム４と同じ奥側４ａと中間４ｂと先端側４ｃとを有している。また、第四の例の一対のアーム４は、先端側４ｃに連続するアーム補強部４ｄを有している。第四の例の一対のアーム４は、各アームがアーチ状に形成されている。
【００３９】
第四の例となる電線保護用プロテクタ１は、第一の例の一対のアーム４に対して強度アップをねらった構造になっている。一対のアーム４の強度アップをねらうことにより、各アームを撓ませる際に生じる復元力が強くなるのは云うまでもなく、一対のアーム４のアーム間に差し込まれる電線の保持がより一層確実になる。第四の例の構造の場合であっても、異音の発生やコストアップすることなく異径電線の外径差を吸収することができるという効果を奏する。
【００４０】
その他、本発明は本発明の主旨を変えない範囲で種々変更実施可能なことは勿論である。
【図面の簡単な説明】
【００４１】
【図１】本発明の異径電線の外径差吸収構造の一実施の形態を示す電線保護用プロテクタの斜視図である。
【図２】電線保護用プロテクタの平面図である。
【図３】電線保護用プロテクタに電線径が細い電線を収納した場合の状態説明図である。
【図４】電線保護用プロテクタに電線径が太い電線を収納した場合の状態説明図である。
【図５】第二の例となる電線保護用プロテクタの平面図である。
【図６】第三の例となる電線保護用プロテクタの平面図である。
【図７】第四の例となる電線保護用プロテクタの平面図である。
【符号の説明】
【００４２】
１  電線保護用プロテクタ
２  本体部
３  蓋部
４  アーム
４ａ  奥側
４ｂ  中間
４ｃ  先端側
４ｄ  アーム補強部
５  電線押し付け部
６  奥壁
７  側壁
８  電線収納口
９  電線引き出し口
１０  ヒンジ
１１、１２  電線
【図１】
2006230065.tif 000003
【図２】
2006230065.tif 000004
【図３】
2006230065.tif 000005
【図４】
2006230065.tif 000006
【図５】
2006230065.tif 000007
【図６】
2006230065.tif 000008
【図７】
2006230065.tif 000009